(57)【要約】【課題】本発明は簡単な構造で、筐体の奥の方に設置された場合でも容易に嵌合でき、嵌合位置の微調整が可能な光コネクタを提供し、光コネクタを用いて、相手コネクタとの確実な保持や防水性を高めるコネクタ装置を提供する。【解決手段】本目的はコネクタ本体部２０と第１部材３０と第２部材４０とを備え、スライド手段として、第１部材３０にガイド部３０５またはガイド突起を設け、第２部材４０にガイド突起４０５またはガイド部を設け、第１部材３０のガイド部３０５またはガイド突起と前記第２部材４０のガイド突起４０５またはガイド部とにクリアランスを設けることで相手コネクタとの嵌合位置調整を可能にしたものである。【選択図】  図１
2016009011.tif 000002
【特許請求の範囲】
【請求項１】
相手コネクタと着脱される光コネクタであって、
光ファイバが結線されたフェルールが装着されるとともに前記相手コネクタとのロック手段を有するコネクタ本体部と、
前記コネクタ本体部の保持手段が設けられた少なくとも１個以上の装着部と前記ロック手段を押圧可能な押圧片を有する第１部材と、
前記第１部材が装着されるとともに前記光ファイバが保持される保持部を有する第２部材とを備え、
さらに、前記第１部材と前記第２部材とのスライド手段を備え、
前記第１部材が前記第２部材を嵌合方向前後にスライドすることを特徴とする光コネクタ。
【請求項２】
前記スライド手段として、前記第１部材にガイド部またはガイド突起を設け、前記第２部材にガイド突起またはガイド部を設け、
前記第１部材のガイド部またはガイド突起と前記第２部材のガイド突起またはガイド部とにクリアランスを設け、可動範囲を変えることで相手コネクタとの嵌合位置調整を可能にすることを特徴とする請求項１記載の光コネクタ。
【請求項３】
前記押圧片を押圧することにより前記ロック手段が解除し、前記相手コネクタより抜去できることを特徴とする請求項１または２記載の光コネクタ。
【請求項４】
前記保持手段として、前記コネクタ本体部に凸または凹を設け、前記装着部に凹または凸を設けることを特徴とする請求項１または２、３記載の光コネクタ。
【請求項５】
前記光コネクタの第２部材の底面部に突起を設け、
前記相手コネクタが装着されるアダプタに前記突起に対応する位置に係止部を設け、
前記突起と前記係止部とが係合することにより前記光コネクタが保持されることを特徴とするコネクタ装置。
【請求項６】
さらに、ケーブルカバーを前記光コネクタに覆うように装着し、
前記アダプタの外周と前記第２部材の保持部とに防水手段を装着し、
前記光コネクタと前記相手コネクタとが嵌合した際に防水性を高めることを特徴とする請求項５記載のコネクタ装置。
【発明の詳細な説明】
【技術分野】
【０００１】
本発明は、屋外の電気機器や電子機器等に使用される光コネクタ及び光コネクタを用いたコネクタ装置に関するもので、特に、簡単な構造で、筐体の奥の方に設置された場合でも容易に嵌合でき、嵌合位置の微調整が可能な光コネクタ及び必要に応じ、前記光コネクタを用いて、相手コネクタとの確実な保持や防水性を高めるコネクタ装置に関するものである。
【背景技術】
【０００２】
一般的に、ＩＥＣ規格の光コネクタは、ファイバが結線されたフェルールと該フェルールが保持されるハウジングとを少なくとも備えている。前記ハウジングには、相手コネクタに保持する為のロック手段が設けられている。前記ロック手段は、弾性を有する板状片または湾曲片をしており、ＩＥＣ規格の光コネクタを手で持ち、前記相手コネクタに、弾性を有する板状片または湾曲片を挿入し、弾性を有する板状片または湾曲片が前記相手コネクタに弾性力により引っかかることで保持される。
【発明の開示】
【発明が解決しようとする課題】
【０００３】
前記相手コネクタは、筐体の奥の方に設置されるケースも多々見うけられる。この場合、ＩＥＣ規格の光コネクタを手で持ち、前記相手コネクタに挿入することは難しくなった。
また、客先からは、前記相手コネクタとの嵌合の際に、嵌合位置を微調整できることが望まれている。
さらに、必要によって、相手コネクタとの確実な保持や防水性を高めるコネクタ装置が求められている。
【０００４】
本発明は、このような従来の問題点に鑑みてなされたもので、簡単な構造で、筐体の奥の方に設置された場合でも容易に嵌合でき、嵌合位置の微調整が可能な光コネクタを提供するものである。また、必要に応じ、前記光コネクタを用いて、相手コネクタとの確実な保持や防水性を高めるコネクタ装置を提供するものである。
【課題を解決するための手段】
【０００５】
本発明は、上記目的を達成するためになされたもので、相手コネクタと着脱される光コネクタであって、
光ファイバが結線されたフェルールが装着されるとともに前記相手コネクタとのロック手段を有するコネクタ本体部と、
前記コネクタ本体部の保持手段が設けられた少なくとも１個以上の装着部と前記ロック手段を押圧可能な押圧片を有する第１部材と、
前記第１部材が装着されるとともに前記光ファイバが保持される保持部を有する第２部材とを備え、
さらに、前記第１部材と前記第２部材とのスライド手段を備え、
前記第１部材が前記第２部材を嵌合方向前後にスライドすることを特徴とする光コネクタである。
【０００６】
前記光コネクタは、前記スライド手段として、前記第１部材にガイド部またはガイド突起を設け、前記第２部材にガイド突起またはガイド部を設け、
前記第１部材のガイド部またはガイド突起と前記第２部材のガイド突起またはガイド部とにクリアランスを設け、可動範囲を変えることで相手コネクタとの嵌合位置調整を可能にする。
また、前記光コネクタは、前記押圧片を押圧することにより前記ロック手段が解除し、前記相手コネクタより抜去できる。
さらに、前記光コネクタは、前記保持手段として、前記コネクタ本体部に凸または凹を設け、前記装着部に凹または凸を設ける。
【０００７】
コネクタ装置は、前記光コネクタの第２部材の底面部に突起を設け、
前記相手コネクタが装着されるアダプタに前記突起に対応する位置に係止部を設け、
前記突起と前記係止部とが係合することにより前記光コネクタが保持される。
また、前記コネクタ装置は、さらに、ケーブルカバーを前記光コネクタに覆うように装着し、
前記アダプタの外周と前記第２部材の保持部とに防水手段を装着し、
前記光コネクタと前記相手コネクタとが嵌合した際に防水性を高める。
【発明の効果】
【０００８】
本発明の光コネクタによれば、筐体の奥の方に設置された場合でも容易に嵌合でき、嵌合位置の微調整が可能にできる。また、本発明の光コネクタを用いたコネクタ装置によれば、相手コネクタとの確実な保持や防水性を高めることができる。
【図面の簡単な説明】
【０００９】
【図１】（Ａ）  ケーブルカバーを外した状態の本発明の光コネクタを、相手コネクタとの嵌合方向から見た斜視図である。（Ｂ）  ケーブルカバーを外した状態の本発明の光コネクタを、コネクタ本体部（本体部は断面せず）が装着された中心で断面した断面図である。（Ｃ）  ケーブルカバーを外した状態の本発明の光コネクタを、コネクタ本体部が装着されていない中心で断面した断面図である。
【図２】（Ａ）  ケーブルカバーを外した状態の本発明の光コネクタと相手コネクタとが嵌合した状態を、相手コネクタ方向の反対上方側から見た斜視図である。（Ｂ）  ケーブルカバーを外した状態の本発明の光コネクタと相手コネクタとが嵌合した状態を、コネクタ本体部（本体部分は断面せず）が装着された中心で断面した断面図である。（Ｃ）  ケーブルカバーを外した状態の本発明の光コネクタと相手コネクタとが嵌合した状態を、コネクタ本体部が装着されていない中心で断面した断面図である。
【図３】（Ａ）  ケーブルカバーを取り付けた状態の本発明の光コネクタを、相手コネクタとの嵌合方向から見た斜視図である。（Ｂ）  コネクタ本体部を、嵌合方向よりみた斜視図である。（Ｃ）  コネクタ本体部を、嵌合方向と反対側よりみた斜視図である。
【図４】（Ａ）  第１部材を、相手コネクタの嵌合方向上方よりみた斜視図である。（Ｂ）  第１部材を、相手コネクタの嵌合方向の反対側下方よりみた斜視図である。（Ｃ）  コネクタ本体部が装着される中心で断面した断面図である。
【図５】（Ａ）  第２部材を、相手コネクタの嵌合方向上方よりみた斜視図である。（Ｂ）  第２部材を、相手コネクタの嵌合方向の反対側下方よりみた斜視図である。（Ｃ）  第２部材の幅方向の中心で断面した断面図である。
【図６】（Ａ）  ケーブルカバーを、相手コネクタの嵌合方向上方よりみた斜視図である。（Ｂ）  ケーブルカバーを、相手コネクタの嵌合方向の反対側下方よりみた斜視図である。（Ｃ）  ケーブルカバーを、中心で断面した断面図である。
【図７】（Ａ）  Ｏリングが装着された状態のアダプタを、本発明の光コネクタとの嵌合方向よりみた斜視図である。（Ｂ）  Ｏリングが装着された状態のアダプタを、本発明の光コネクタとの嵌合方向の反対側よりみた斜視図である。（Ｃ）  Ｏリングが装着された状態のアダプタを、中心で断面した断面図である。
【発明を実施するための最良の形態】
【００１０】
本発明の特徴は、相手コネクタと着脱される光コネクタ１０であって、
光ファイバが結線されたフェルール１５が装着されるとともに前記相手コネクタとのロック手段を有するコネクタ本体部２０と、
前記コネクタ本体部２０の保持手段が設けられた少なくとも１個以上の装着部３０３と前記ロック手段を押圧可能な押圧片３０４を有する第１部材３０と、
前記第１部材３０が装着されるとともに前記光ファイバが保持される保持部４０４を有する第２部材４０とを備え、
さらに、前記第１部材３０と前記第２部材４０とのスライド手段を備え、
前記第１部材３０が前記第２部材４０を嵌合方向前後にスライドすることを特徴とする光コネクタ１０である。
つまり、本発明の光コネクタ１０は、前記スライド手段として、前記第１部材３０にガイド部３０５またはガイド突起を設け、前記第２部材４０にガイド突起４０５またはガイド部を設け、
前記第１部材３０のガイド部３０５またはガイド突起と前記第２部材４０のガイド突起４０５またはガイド部とにクリアランスを設け、可動範囲を変えることで相手コネクタとの嵌合位置調整を可能にしたものである。
【００１１】
図１から図７に基づいて、本発明の光コネクタ１０及びコネクタ装置５の実施例について説明する。
図１（Ａ）はケーブルカバーを外した状態の本発明の光コネクタを、相手コネクタとの嵌合方向から見た斜視図であり、（Ｂ）はケーブルカバーを外した状態の本発明の光コネクタを、コネクタ本体部（本体部分は断面せず）が装着された中心で断面した断面図であり、（Ｃ）はケーブルカバーを外した状態の本発明の光コネクタを、コネクタ本体部が装着されていない中心で断面した断面図である。図２（Ａ）はケーブルカバーを外した状態の本発明の光コネクタと相手コネクタとが嵌合した状態を、相手コネクタ方向の反対上方側から見た斜視図であり、（Ｂ）はケーブルカバーを外した状態の本発明の光コネクタと相手コネクタとが嵌合した状態を、コネクタ本体部（本体部分は断面せず）が装着された中心で断面した断面図であり、（Ｃ）はケーブルカバーを外した状態の本発明の光コネクタと相手コネクタとが嵌合した状態を、コネクタ本体部が装着されていない中心で断面した断面図である。図３（Ａ）はケーブルカバーを取り付けた状態の本発明の光コネクタを、相手コネクタとの嵌合方向から見た斜視図であり、（Ｂ）はコネクタ本体部を、嵌合方向よりみた斜視図であり、（Ｃ）はコネクタ本体部を、嵌合方向と反対側よりみた斜視図である。図４（Ａ）は第１部材を、相手コネクタの嵌合方向上方よりみた斜視図であり、（Ｂ）は第１部材を、相手コネクタの嵌合方向の反対側下方よりみた斜視図であり、（Ｃ）はコネクタ本体部が装着される中心で断面した断面図である。図５（Ａ）は第２部材を、相手コネクタの嵌合方向上方よりみた斜視図であり、（Ｂ）は第２部材を、相手コネクタの嵌合方向の反対側下方よりみた斜視図であり、（Ｃ）は第２部材の幅方向の中心で断面した断面図である。図６（Ａ）はケーブルカバーを、相手コネクタの嵌合方向上方よりみた斜視図であり、（Ｂ）はケーブルカバーを、相手コネクタの嵌合方向の反対側下方よりみた斜視図であり、（Ｃ）はケーブルカバーを、中心で断面した断面図である。図７（Ａ）はＯリングが装着された状態のアダプタを、本発明の光コネクタとの嵌合方向よりみた斜視図であり、（Ｂ）はＯリングが装着された状態のアダプタを、本発明の光コネクタとの嵌合方向の反対側よりみた斜視図であり、（Ｃ）はＯリングが装着された状態のアダプタを、中心で断面した断面図である。
【００１２】
図１から図７に基づいて、光コネクタ１０とコネクタ装置５について説明する。前記光コネクタ１０は、少なくとも相手コネクタと嵌合するコネクタ本体部２０と該コネクタ本体部２０が装着される第１部材３０と該第１部材３０がスライド可能に取付けられた第２部材４０とを備えている。本実施例では、さらに、ケーブルカバー５０を備えている。
【００１３】
最初に、前記コネクタ本体部２０について説明する。このコネクタ本体部２０は、従来で説明したＩＥＣ規格の光コネクタである。つまり、前記コネクタ本体部２０は、ファイバが結線されたフェルール１５と該フェルール１５が保持されるハウジング２１とを少なくとも備えている。ファイバは前記フェルール１５に接着（剤）によって保持されている。
【００１４】
前記フェルール１５はジルコニア製であり、前記ハウジング２１を２分割し、スプリングを介して摺動出来るように固定されている。前記ハウジング２１は、電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１５】
前記ハウジング２１には、本体２０１と該本体２０１から突出し、前記相手コネクタとのロックをするロック部２０３とを有している。前記ロック部２０３の幅方向両端の一部には係合部２０４を有し、前記ロック部２０３は弾性を有する板状片をしており、前記ロック部２０３を相手コネクタに挿入し、弾性を有する前記ロック部２０３の係合部２０４が前記相手コネクタに弾性力により引っかかることで保持される。
【００１６】
前記ハウジング２１には、嵌合方向の反対側付近で、幅方向両側に溝２０５が設けられている。前記溝２０５は、前記第１部材３０の凸部３０６が入ることで、前記コネクタ本体部２０が前記第１部材３０に保持するものである。前記溝２０５の形状・大きさは、保持できればよく、保持力や小型化や強度や加工性等を考慮して適宜設計する。
【００１７】
前記ハウジング２１には、前記フェルール１５とファイバ（ケーブル）が挿入される挿入孔２０２が設けられている。前記挿入孔２０２の形状・大きさは、前記フェルール１５とファイバ（ケーブル）が挿入できればよく、前記フェルール１５とファイバ（ケーブル）の形状・大きさに沿い、保持力や加工性や強度等を考慮して適宜設計する。
【００１８】
次に、本発明のポイントである第１部材３０について説明する。この第１部材３０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１９】
前記第１部材３０は略円筒形をしている。前記第１部材３０には、略円筒形をした本体部３０１からサン部３０２を介して嵌合方向へ突出した装着部３０３を有し、さらに、前記本体部３０１から嵌合方向側へ突出した押圧片３０４を有している。
【００２０】
前記装着部３０３は、前記コネクタ本体部２０が入る（装着）部分であり、少なくとも１箇所以上設けられており、本実施例では幅方向に並んで２箇所設けられている。前記装着部３０３の形状・大きさは前記コネクタ本体部２０の形状・大きさに沿い、保持力や強度や小型化や加工性を考慮して適宜設計している。
【００２１】
前記押圧片３０４は、前記光コネクタ１０を前記相手コネクタから抜去する為の部分である。前記押圧片３０４は、片持ち梁で弾性を有しており、前記押圧片３０４を下側に押圧する（下げる）ことで、前記コネクタ本体部２０のロック部２０３を押圧し（下げ）、前記光コネクタ１０を前記相手コネクタから抜去できる。前記押圧片３０４の形状・大きさは、相手コネクタから抜去できればよく、役割や弾性や強度や加工性等を考慮して適宜設計する。
【００２２】
前記本体部３０１には、幅方向両側にスライド手段であるガイド部３０５が設けられている。前記ガイド部３０５は、前記第２部材４０のガイド突起４０５に係合させ、前記ガイド突起４０５との間にクリアランスを設けることで、スライドを可能にするとともにクリアランス分だけ相手コネクタとの嵌合位置調整を可能にしている。クリアランスは、嵌合方向と厚さ方向に設けられており、クリアランスを設けることにより嵌合時における嵌合方向と厚さ方向の可動範囲の位置調整ができるようになっている。本実施例では、嵌合方向の可動範囲を０〜３ｍｍにする為にクリアランスは３ｍｍにし、厚さ方向の可動範囲を０〜１ｍｍにする為にクリアランスは１ｍｍにしている。客先要求により嵌合方向の可動範囲を大きくする際にはクリアランスは３ｍｍ以上にし、厚さ方向の可動範囲を大きくする際にはクリアランスは１ｍｍ以上にしている。本実施例では、前記ガイド部３０５は溝形状にしているが、役割やスライドが可能であれば如何なる形状でもよい。前記第１部材３０側と前記第２部材４０側の形状を逆にしてもよい。
【００２３】
前記押圧片３０４の先端部分には、内側に突出した突起３０７が設けられている。前記突起３０７は、前記コネクタ本体部２０のロック部２０３と係合する部分ではないが、最悪の場合、位置決めや抜けを防止するものである。
【００２４】
前記装着部３０３の内側には、前記コネクタ本体部２０の溝２０５に対応する位置に凸部３０６が設けられている。前記凸部３０６は、装着部３０３内の幅方向両側に設けられている。前記凸部３０６は、前記溝２０５と係合することで、さらに、保持力を高めるとともに、位置決めを行なう部分である。前記凸部３０６の形状・大きさは、この役割や強度や保持力や加工性等を考慮して適宜設計している。
【００２５】
次に、本発明のポイントである第２部材４０について説明する。この第２部材４０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２６】
前記第２部材４０は略板状をしており、ほぼ中央に本体部４０１を有し、一方端側にケーブルが保持される保持部４０４と他方端側の幅方向両側に相手のアダプタ７０にガイドする為に前記本体部４０１から上側に突出した突出部４０２が設けられている。前記本体部３０１には、幅方向両側にスライド手段であるガイド突起４０５が設けられている。
【００２７】
前記保持部４０４はケーブル９０を保持する部分であり、前記ケーブル９０が挿入される挿入穴４０３が設けられている。
【００２８】
前記突出部４０２は、前記アダプタ７０にガイドする為の部分である。その為、前記突出部４０２の形状・大きさは、前記アダプタ７０の形状・大きさに沿う形状にし、役割や強度や加工性等を考慮して適宜設計する。
【００２９】
前記本体部４０１には、幅方向両側に前記第１部材３０のガイド部３０５に対応する位置にガイド突起４０５が設けられている。前記ガイド突起４０５は、前記第１部材３０のガイド部３０５に係合させ、前記ガイド部３０５との間にクリアランスを設けることで、スライドを可能にするとともにクリアランス分だけ相手コネクタとの嵌合位置調整を可能にしている。クリアランスは、嵌合方向と厚さ方向に設けられており、クリアランスを設けることにより嵌合時における嵌合方向と厚さ方向の可動範囲の位置調整ができるようになっている。本実施例では、嵌合方向の可動範囲を０〜３ｍｍにする為にクリアランスは３ｍｍにし、厚さ方向の可動範囲を０〜１ｍｍにする為にクリアランスは１ｍｍにしている。客先要求により嵌合方向の可動範囲を大きくする際にはクリアランスは３ｍｍ以上にし、厚さ方向の可動範囲を大きくする際にはクリアランスは１ｍｍ以上にしている。本実施例では、前記ガイド突起４０５は突起形状にしているが、役割やスライドが可能であれば如何なる形状でもよい。前記第１部材３０側と前記第２部材４０側の形状を逆にしてもよい。
【００３０】
前記本体部４０１の底面側には、前記アダプタ７０の凹部７０４と係合する凸４０６が設けられている。前記凸４０６は、前記光コネクタ１０の嵌合時に、位置決めすると同時にさらに強固に保持する為の部分である。嵌合時に、前記アダプタ７０の凹部７０４と係合することで、位置決めと保持を行なっている。前記凸４０６の形状・大きさは、役割や保持力や強度や加工性等を考慮して適宜設計する。
【００３１】
前記保持部４０４には、前記ケーブル９０が挿入される挿入穴４０３が設けられている。前記挿入穴４０３の形状・大きさは前記ケーブル９０を保持できれば如何なるものであってもよく、前記ケーブル９０の形状・大きさに沿い、保持力や強度や加工性等を考慮して適宜設計する。
【００３２】
前記保持部４０４の本体部４０１側には、Ｏリング６０が入る溝部４０７が設けられている。前記ケーブルカバー５０を前記アダプタ７０に螺着した際に、前記溝部４０７に装着されたＯリング６０を潰すことで、防水性を高める構造にしている。
【００３３】
次に、コネクタ装置５について説明する。前記コネクタ装置５は、前記光コネクタ１０とアダプタ７０とケーブルカバー５０とを有している。相手コネクタは、略図を嵌合状態で表示し、説明は省略する。
【００３４】
まず、ケーブルカバー５０について説明する。このケーブルカバー５０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３５】
前記ケーブルカバー５０は、略円錐形状をしており、前記第２部材４０の保持部４０４等が入る装着孔５０１が設けられている。前記装着孔５０１は、前記保持部４０４等が入り、前記アダプタ７０と螺着できればよく、防水性や加工性や強度等を考慮して適宜設計する。
【００３６】
前記装着孔５０１の内周で、嵌合方向側には、前記アダプタ７０と螺着するねじ部５０２が設けられている。前記ねじ部５０２は、螺着できれば良く、保持力等を考慮して適宜設計する。螺着された際に、前記第２部材４０の溝部４０７に装着されたＯリング６０を潰すことで、防水性を高める構造にしている。
【００３７】
次に、前記アダプタ７０について説明する。このアダプタ７０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３８】
前記アダプタ７０には、相手コネクタが装着されると本発明の光コネクタ１０が挿入される装着穴７０１が設けられている。前記装着穴７０１内には、前記相手コネクタを装着し、かつ、ガイドするガイド７０７と前記光コネクタ１０を保持、位置決めする凹部７０４が設けられている。
【００３９】
前記ガイド７０７は、前記相手コネクタの挿入時にガイドし、挿入された後に前記相手コネクタを保持する部分である。前記ガイド７０７の形状・大きさは、このような役割と保持力と強度と加工性等を考慮して適宜設計する。前記ガイド７０７は、レールのように前記相手コネクタに引っかかる構造になっている。
【００４０】
前記凹部７０４は、前記光コネクタ１０の嵌合時に、位置決めすると同時にさらに強固に保持する為の部分である。嵌合時に、前記光コネクタ１０の凸４０６と係合することで、位置決めと保持を行なっている。前記凹部７０４の形状・大きさは、役割や保持力や強度や加工性等を考慮して適宜設計する。
【００４１】
前記アダプタ７０には、一方端側に前記ケーブルカバー５０と螺着する為のねじ部７０３が設けられ、他方端側に筐体に固定する為のフランジ７０２が設けられている。前記ねじ部７０３は、前記ケーブルカバー５０と螺着する部分である。前記ねじ部７０３は螺着できればよく、保持力や加工性やコネクタの小型化等を考慮して適宜設計する。
【００４２】
前記フランジ７０２には、筐体に固定するための孔７０８が設けられている。前記孔７０８にボルトを差込み、前記筐体に固定している。前記筐体に固定できれば、如何なる方法でもよく、保持力や加工性等を考慮して適宜設計している。
【００４３】
前記ねじ部７０３の後端には、溝７０５が設けられている。前記溝７０５に、Ｏリング６０を入れ、前記ケーブルカー５０が螺着された際に前記Ｏリング６０を前記アダプタ７０と前記ケーブルカバー５０とで潰すことで、前記コネクタ装置５の防水性が得られる構造になっている。
【００４４】
前記ねじ部７０３には、一部切り欠かれた切欠７０６が設けられている。前記切欠７０６は、前記光コネクタ１０と嵌合した際に、前記光コネクタ１０がスライドした場合の逃げであり、かつ、嵌合の方向性を示す部分である。前記切欠７０６の形状・大きさは、このような役割を果たせばよく、役割や強度や加工性等を考慮して適宜設計する。
【００４５】
最後に、前記光コネクタ１０の前記コネクタ装置５への取付け方について説明する。前記第１部材３０部分を手で持ち、前記コネクタ本体部２０を前記相手コネクタに挿入し、前記第１部材３０を前記第２部材をスライドさせ、嵌合位置の微調整を行い、取付けを行なう。
【産業上の利用可能性】
【００４６】
本発明の活用例としては、屋外の電気機器や電子機器等に使用される光コネクタ及び光コネクタを用いたコネクタ装置に活用され、特に、簡単な構造で、筐体の奥の方に設置された場合でも容易に嵌合でき、嵌合位置の微調整が可能な光コネクタ及び必要に応じ、前記光コネクタを用いて、相手コネクタとの確実な保持や防水性を高めるコネクタ装置に関するものである。
【符号の説明】
【００４７】
５      コネクタ装置
１０    光コネクタ
１５    フェルール
２０    コネクタ本体部
２０１  本体
２０２  挿入孔
２０３  ロック部
２０４  係合部
２０５  溝
３０    第１部材
３０１  本体部
３０２  サン部
３０３  装着部
３０４  押圧片
３０５  ガイド部
３０６  凸部
３０７  突起
４０    第２部材
４０１  本体部
４０２  突出部
４０３  挿入穴
４０４  保持部
４０５  ガイド突起
４０６  凸
４０７  溝部
５０    ケーブルカバー
５０１  装着孔
５０２  ねじ部
６０    Ｏリング
７０    アダプタ
７０１  装着穴
７０２  フランジ
７０３  ねじ部
７０４  凹部
７０５  溝
７０６  切欠
７０７  ガイド
７０８  孔
９０    ケーブル
【図１】
2016009011.tif 000003
【図２】
2016009011.tif 000004
【図３】
2016009011.tif 000005
【図４】
2016009011.tif 000006
【図５】
2016009011.tif 000007
【図６】
2016009011.tif 000008
【図７】
2016009011.tif 000009